(57)【特許請求の範囲】
【請求項１】
表面に転写パターンが形成されたテンプレート上に離型剤を成膜するテンプレート処理方法であって、
前記テンプレートの表面に紫外線を照射しながら、当該テンプレートの表面に離型剤を塗布する塗布工程と、
その後、前記テンプレートの表面に塗布された離型剤をリンスして、当該離型剤の未反応部を除去するリンス工程と、を有することを特徴とする、テンプレート処理方法。
【請求項２】
前記塗布工程の前に、前記テンプレートの表面を洗浄する洗浄工程をさらに有することを特徴とする、請求項１に記載のテンプレート処理方法。
【請求項３】
前記洗浄工程において、前記テンプレートの表面に紫外線を照射することを特徴とする、請求項２に記載のテンプレート処理方法。
【請求項４】
前記塗布工程は、不活性ガスの雰囲気下で行われることを特徴とする、請求項１〜３のいずれかに記載のテンプレート処理方法。
【請求項５】
前記塗布工程において、前記テンプレートの表面に前記紫外線を照射中に、当該テンプレートの表面への離型剤の供給を開始することを特徴とする、請求項１〜４のいずれかに記載のテンプレート処理方法。
【請求項６】
前記塗布工程において、前記テンプレートの表面と当該表面と対向して配置された支持板との間に離型剤が供給された状態で、前記テンプレートの表面への前記紫外線の照射を開始することを特徴とする、請求項１〜４のいずれか記載に記載のテンプレート処理方法。
【請求項７】
前記支持板は、前記紫外線を透過させることを特徴とする、請求項６に記載のテンプレート処理方法。
【請求項８】
請求項１〜７のいずれかに記載のテンプレート処理方法をテンプレート処理装置によって実行させるために、当該テンプレート処理装置を制御する制御部のコンピュータ上で動作するプログラム。
【請求項９】
請求項８に記載のプログラムを格納した読み取り可能なコンピュータ記憶媒体。
【請求項１０】
表面に転写パターンが形成されたテンプレート上に離型剤を成膜するテンプレート処理装置であって、
前記テンプレートの表面に紫外線を照射する紫外線照射部と、前記テンプレートの表面に離型剤を供給する離型剤供給部とを備えた塗布ユニットと、
前記テンプレートの表面に塗布された離型剤をリンスして、当該離型剤の未反応部を除去するリンスユニットと、
前記塗布ユニットにおいて、前記テンプレートの表面に前記紫外線を照射しながら、当該テンプレートの表面に離型剤を塗布する塗布工程を実行するように、前記紫外線照射部と前記離型剤供給部を制御する制御部と、を有することを特徴とする、テンプレート処理装置。
【請求項１１】
前記制御部は、前記塗布工程を実行する前に、前記塗布ユニットにおいて前記テンプレートの表面に紫外線を照射するように前記紫外線照射部を制御することを特徴とする、請求項１０に記載のテンプレート処理装置。
【請求項１２】
前記塗布ユニットは、前記テンプレートを収容する処理容器と、前記処理容器内に不活性ガスを供給するガス供給部と、をさらに有し、
前記制御部は、前記塗布工程が不活性ガスの雰囲気下で行われるように前記ガス供給部を制御することを特徴とする、請求項１０又は１１に記載のテンプレート処理装置。
【請求項１３】
前記制御部は、前記塗布工程において前記テンプレートの表面に前記紫外線を照射中に当該テンプレートの表面への離型剤の供給を開始するように前記紫外線照射部と前記離型剤供給部を制御することを特徴とする、請求項１０〜１２のいずれかに記載のテンプレート処理装置。
【請求項１４】
前記塗布ユニットは、前記テンプレートの表面と対向して配置された支持板を有し、
前記制御部は、前記塗布工程において前記テンプレートの表面と前記支持板との間に離型剤が供給された状態で前記テンプレートの表面への前記紫外線の照射を開始するように前記紫外線照射部と前記離型剤供給部を制御することを特徴とする、請求項１０〜１２のいずれかに記載のテンプレート処理装置。
【請求項１５】
前記支持板は、前記紫外線を透過させることを特徴とする、請求項１４に記載のテンプレート処理装置。
【請求項１６】
請求項１０〜１５のいずれかに記載のテンプレート処理装置を備えたインプリントシステムであって、
前記テンプレート処理装置で表面に離型剤が成膜された前記テンプレートを用いて、前記転写パターンを基板上に形成される塗布膜に転写し、当該塗布膜に所定のパターンを形成するインプリントユニットを有することを特徴とする、インプリントシステム。
【発明の詳細な説明】
【技術分野】
【０００１】
本発明は、表面に転写パターンが形成されたテンプレート上に離型剤を成膜するテンプレート処理方法、プログラム、コンピュータ記憶媒体、テンプレート処理装置及びインプリントシステムに関する。
【背景技術】
【０００２】
例えば半導体デバイスの製造工程では、例えば半導体ウェハ（以下、「ウェハ」という。）にフォトリソグラフィー処理を行い、ウェハ上に所定のレジストパターンを形成することが行われている。
【０００３】
上述したレジストパターンを形成する際には、半導体デバイスのさらなる高集積化を図るため、当該レジストパターンの微細化が求められている。一般にフォトリソグラフィー処理における微細化の限界は、露光処理に用いる光の波長程度である。このため、従来より露光処理の光を短波長化することが進められている。しかしながら、露光光源の短波長化には技術的、コスト的な限界があり、光の短波長化を進める方法のみでは、例えば数ナノメートルオーダーの微細なレジストパターンを形成するのが困難な状況にある。
【０００４】
そこで、近年、ウェハにフォトリソグラフィー処理を行う代わりに、いわゆるインプリントと呼ばれる方法を用いてウェハ上に微細なレジストパターンを形成することが提案されている。この方法は、表面に微細なパターンを有するテンプレート（モールドや型と呼ばれることもある。）をウェハ上に形成したレジスト表面に圧着させ、その後剥離し、当該レジスト表面に直接パターンの転写を行うものである（特許文献１）。
【先行技術文献】
【特許文献】
【０００５】
【特許文献１】特開２００９−４３９９８号公報
【発明の概要】
【発明が解決しようとする課題】
【０００６】
上述のインプリント方法で用いられるテンプレートの表面には、テンプレートをレジストから剥離し易くするため、通常、レジストに対して撥液性を有する離型剤が成膜されている。
【０００７】
テンプレートの表面に離型剤を成膜する際には、先ず、テンプレートの表面を洗浄した後、当該テンプレートの表面に離型剤を塗布する。次に、成膜される離型剤が所定の接触角を有してレジストに対する撥液性機能を発揮できるようにするため、離型剤をテンプレートの表面に密着させる。具体的には、離型剤とテンプレートの表面を化学反応させて、離型剤中に含まれる成分のうち、レジストに対して撥液性を有する成分、例えばフッ化物成分をテンプレートの表面に吸着させる。その後、離型剤の未反応部を除去して、テンプレートの表面に所定の膜厚の離型剤が成膜される。なお、離型剤の未反応部とは、離型剤がテンプレートの表面と化学反応して密着する部分以外をいう。
【０００８】
しかしながら、上述のように離型剤を成膜する場合、テンプレート上の離型剤をテンプレートの表面に密着させるのに時間がかかる。例えば常温雰囲気下でテンプレートを放置した場合、離型剤をテンプレートに密着させるのに約２４時間かかってしまう。
【０００９】
そこで、発明者らは、離型剤とテンプレートの表面との化学反応を促進させるため、テンプレート上の離型剤を加熱して焼成することを試みた。この場合、離型剤をテンプレートに密着させる時間を短縮することができた。例えば離型剤を６０℃に加熱した場合、離型剤をテンプレートに密着させるのに必要な時間は約１時間であり、また離型剤を２００℃に加熱した場合、離型剤をテンプレートに密着させるのに必要な時間は約５分であった。
【００１０】
しかしながら、この場合、一旦加熱したテンプレートを冷却するのに時間がかかる。したがって、テンプレート処理のスループットを向上させるには至らなかった。また、離型剤を加熱すると当該離型剤は熱膨張するため、テンプレートの表面に離型剤を所定の膜厚で成膜することができない。そして、このように離型剤が成膜されたテンプレートを用いてインプリント処理を行った場合、ウェハ上に数ナノメートルオーダーの微細なレジストパターンを形成することは困難であった。
【００１１】
本発明は、かかる点に鑑みてなされたものであり、テンプレートの表面に離型剤を適切に成膜しつつ、テンプレート処理のスループットを向上させることを目的とする。
【課題を解決するための手段】
【００１２】
前記の目的を達成するため、本発明は、表面に転写パターンが形成されたテンプレート上に離型剤を成膜するテンプレート処理方法であって、前記テンプレートの表面に紫外線を照射しながら、当該テンプレートの表面に離型剤を塗布する塗布工程と、その後、前記テンプレートの表面に塗布された離型剤をリンスして、当該離型剤の未反応部を除去するリンス工程と、を有することを特徴としている。なお、離型剤の未反応部とは、離型剤がテンプレートの表面と化学反応して密着する部分以外をいう。
【００１３】
発明者らが調べたところ、テンプレートの表面に紫外線を照射しながら、当該テンプレートの表面に離型剤を塗布すると、テンプレートの表面と離型剤との化学反応が促進され、当該テンプレートの表面と離型剤との密着性が向上することが分かった。具体的には、テンプレートの表面に紫外線を照射すると、当該テンプレートの表面の水酸基の結合が切断される。そして、このように水酸基の結合が切断された直後に、テンプレートの表面と離型剤分子が脱水縮合により結合される。さらに、テンプレートの表面に照射された紫外線によって、隣接する離型剤分子同士が脱水縮合により結合する。こうして、テンプレートの表面と離型剤が強固に結合し、テンプレートの表面と離型剤の密着性が向上する。したがって、テンプレートの表面に紫外線を照射しながら、当該テンプレートの表面に離型剤を塗布すると、テンプレートの表面に離型剤を短時間で密着させることができ、テンプレート上に成膜される離型剤の接触角を所定の角度にして、当該離型剤の離型機能を発揮させることができる。このように短時間で離型剤をテンプレートの表面に密着させることができるので、テンプレート処理全体のスループットを向上させることができる。しかも、この場合、従来のように離型剤を加熱する必要がないため、離型剤が熱膨張することもない。したがって、テンプレートの表面に離型剤を所定の膜厚で適切に成膜することができる。
【００１４】
前記塗布工程の前に、前記テンプレートの表面を洗浄する洗浄工程をさらに有していてもよい。かかる場合、前記前記洗浄工程において、前記テンプレートの表面に紫外線を照射してもよい。
【００１５】
前記塗布工程は、不活性ガスの雰囲気下で行われてもよい。
【００１６】
前記塗布工程において、前記テンプレートの表面に前記紫外線を照射中に、当該テンプレートの表面への離型剤の供給を開始してもよい。
【００１７】
また、前記塗布工程において、前記テンプレートの表面と当該表面と対向して配置された支持板との間に離型剤が供給された状態で、前記テンプレートの表面への前記紫外線の照射を開始してもよい。かかる場合、前記支持板は、前記紫外線を透過させてもよい。
【００１８】
別な観点による本発明によれば、前記テンプレート処理方法をテンプレート処理装置によって実行させるために、当該テンプレート処理装置を制御する制御部のコンピュータ上で動作するプログラムが提供される。
【００１９】
また別な観点による本発明によれば、前記プログラムを格納した読み取り可能なコンピュータ記憶媒体が提供される。
【００２０】
また別な観点による本発明は、表面に転写パターンが形成されたテンプレート上に離型剤を成膜するテンプレート処理装置であって、前記テンプレートの表面に紫外線を照射する紫外線照射部と、前記テンプレートの表面に離型剤を供給する離型剤供給部とを備えた塗布ユニットと、前記テンプレートの表面に塗布された離型剤をリンスして、当該離型剤の未反応部を除去するリンスユニットと、前記塗布ユニットにおいて、前記テンプレートの表面に前記紫外線を照射しながら、当該テンプレートの表面に離型剤を塗布する塗布工程を実行するように、前記紫外線照射部と前記離型剤供給部を制御する制御部と、を有することを特徴としている。なお、離型剤の未反応部とは、離型剤がテンプレートの表面と化学反応して密着する部分以外をいう。
【００２１】
前記制御部は、前記塗布工程を実行する前に、前記塗布ユニットにおいて前記テンプレートの表面に紫外線を照射するように前記紫外線照射部を制御してもよい。
【００２２】
前記塗布ユニットは、前記テンプレートを収容する処理容器と、前記処理容器内に不活性ガスを供給するガス供給部と、をさらに有し、前記制御部は、前記塗布工程が不活性ガスの雰囲気下で行われるように前記ガス供給部を制御してもよい。
【００２３】
前記制御部は、前記塗布工程において前記テンプレートの表面に前記紫外線を照射中に当該テンプレートの表面への離型剤の供給を開始するように前記紫外線照射部と前記離型剤供給部を制御してもよい。
【００２４】
前記塗布ユニットは、前記テンプレートの表面と対向して配置された支持板を有し、前記制御部は、前記塗布工程において前記テンプレートの表面と前記支持板との間に離型剤が供給された状態で前記テンプレートの表面への前記紫外線の照射を開始するように前記紫外線照射部と前記離型剤供給部を制御してもよい。かかる場合、前記支持板は、前記紫外線を透過させてもよい。
【００２５】
さらに別な観点による本発明は、前記テンプレート処理装置を備えたインプリントシステムであって、前記テンプレート処理装置で表面に離型剤が成膜された前記テンプレートを用いて、前記転写パターンを基板上に形成される塗布膜に転写し、当該塗布膜に所定のパターンを形成するインプリントユニットを有することを特徴としている。
【発明の効果】
【００２６】
本発明によれば、テンプレートの表面に離型剤を適切に成膜しつつ、テンプレート処理のスループットを向上させることができる。
【図面の簡単な説明】
【００２７】
【図１】本実施の形態にかかるテンプレート処理装置の構成の概略を示す平面図である。
【図２】本実施の形態にかかるテンプレート処理装置の構成の概略を示す側面図である。
【図３】本実施の形態にかかるテンプレート処理装置の構成の概略を示す側面図である。
【図４】テンプレートの斜視図である。
【図５】塗布ユニットの構成の概略を示す縦断面図である。
【図６】保持部材の構成の概略を示す平面図である。
【図７】塗布ユニットの構成の概略を示す横断面図である。
【図８】リンスユニットの構成の概略を示す縦断面図である。
【図９】テンプレート処理の各工程を示したフローチャートである。
【図１０】テンプレート処理の各工程におけるテンプレートの状態を模式的に示した説明図であり、（ａ）はテンプレートの表面を洗浄する様子を示し、（ｂ）はテンプレートの表面に紫外線を照射しながら、当該テンプレートの表面に離型剤を塗布する様子を示し、（ｃ）はテンプレート上に離型剤が成膜された様子を示す。
【図１１】テンプレート上の水酸基の結合が切断された様子を示す説明図である。
【図１２】テンプレートの表面と離型剤分子が脱水縮合する様子を示す説明図である。
【図１３】テンプレートの表面と離型剤分子が結合した様子を示す説明図である。
【図１４】他の実施の形態にかかる塗布ユニットの構成の概略を示す縦断面図である。
【図１５】他の実施の形態にかかるテンプレート処理の各工程におけるテンプレートの状態を模式的に示した説明図であり、（ａ）はテンプレートの表面を洗浄する様子を示し、（ｂ）はテンプレートの表面と支持板との間に離型剤を供給する様子を示し、（ｃ）はテンプレートの表面に紫外線を照射しながら、当該テンプレートの表面に離型剤を塗布する様子を示し、（ｄ）はテンプレート上に離型剤が成膜された様子を示す。
【図１６】テンプレートの裏面側から表面に紫外線を照射する様子を示す説明図である。
【図１７】洗浄ユニットの構成の概略を示す縦断面図である。
【図１８】洗浄ユニットの構成の概略を示す横断面図である。
【図１９】本実施の形態にかかるインプリントシステムの構成の概略を示す平面図である。
【図２０】インプリントユニットの構成の概略を示す縦断面図である。
【図２１】インプリントユニットの構成の概略を示す横断面図である。
【図２２】インプリント処理の各工程を示したフローチャートである。
【図２３】インプリント処理の各工程におけるテンプレートとウェハの状態を模式的に示した説明図であり、（ａ）はウェハ上にレジスト液が塗布された様子を示し、（ｂ）はウェハ上のレジスト膜を光重合させる様子を示し、（ｃ）はウェハ上にレジストパターンが形成された様子を示し、（ｄ）はウェハ上の残存膜が除去された様子を示す。
【発明を実施するための形態】
【００２８】
以下、本発明の実施の形態について説明する。図１は、本実施の形態にかかるテンプレート処理装置１の構成の概略を示す平面図である。図２及び図３は、テンプレート処理装置１の構成の概略を示す側面図である。
【００２９】
本実施の形態のテンプレート処理装置１では、図４に示すように直方体形状を有し、表面に所定の転写パターンＣが形成されたテンプレートＴが用いられる。以下、転写パターンＣが形成されているテンプレートＴの面を表面Ｔ１といい、当該表面Ｔ１と反対側の面を裏面Ｔ２という。なお、テンプレートＴには、可視光、近紫外光、紫外線などの光を透過可能な透明材料、例えば石英ガラスが用いられる。
【００３０】
テンプレート処理装置１は、図１に示すように複数、例えば５枚のテンプレートＴをカセット単位で外部とテンプレート処理装置１との間で搬入出したり、テンプレートカセットＣＴに対してテンプレートＴを搬入出したりするテンプレート搬入出ステーション２と、テンプレートＴに所定の処理を施す複数の処理ユニットを備えた処理ステーション３とを一体に接続した構成を有している。
【００３１】
テンプレート搬入出ステーション２には、カセット載置台１０が設けられている。カセット載置台１０は、複数のテンプレートカセットＣＴをＸ方向（図１中の上下方向）に一列に載置自在になっている。すなわち、テンプレート搬入出ステーション２は、複数のテンプレートＴを保有可能に構成されている。
【００３２】
テンプレート搬入出ステーション２には、Ｘ方向に延伸する搬送路１１上を移動可能なテンプレート搬送体１２が設けられている。テンプレート搬送体１２は、鉛直方向及び鉛直周り（θ方向）にも移動自在であり、テンプレートカセットＣＴと処理ステーション３との間でテンプレートＴを搬送できる。
【００３３】
処理ステーション３には、その中心部に搬送ユニット２０が設けられている。この搬送ユニット２０の周辺には、各種処理ユニットが多段に配置された、例えば４つの処理ブロックＧ１〜Ｇ４が配置されている。処理ステーション３の正面側（図１のＸ方向負方向側）には、テンプレート搬入出ステーション２側から第１の処理ブロックＧ１、第２の処理ブロックＧ２が順に配置されている。処理ステーション３の背面側（図１のＸ方向正方向側）には、テンプレート搬入出ステーション２側から第３の処理ブロックＧ３、第４の処理ブロックＧ４が順に配置されている。処理ステーション３のテンプレート搬入出ステーション２側には、テンプレートＴの受け渡しを行うためのトランジションユニット２１が配置されている。
【００３４】
搬送ユニット２０は、テンプレートＴを保持して搬送し、且つ水平方向、鉛直方向及び鉛直周りに移動自在な搬送アームを有している。そして、搬送ユニット２０は、処理ブロックＧ１〜Ｇ４内に配置された後述する各種処理ユニット、及びトランジションユニット２１に対してテンプレートＴを搬送できる。
【００３５】
第１の処理ブロックＧ１には、図２に示すように複数の液処理ユニット、例えばテンプレートＴの表面Ｔ１に紫外線を照射しながら、当該テンプレートＴの表面Ｔ１に離型剤を塗布する塗布ユニット３０、３１が下から順に２段に重ねられている。第２の処理ブロックＧ２も同様に、塗布ユニット３２、３３が下から順に２段に重ねられている。また、第１の処理ブロックＧ１及び第２の処理ブロックＧ２の最下段には、前記液処理ユニットに各種処理液を供給するためのケミカル室３４、３５がそれぞれ設けられている。
【００３６】
第３の処理ブロックＧ３には、図３に示すように複数の液処理ユニット、例えばテンプレートＴ上の離型剤をリンスするリンスユニット４０、４１が下から順に２段に重ねられている。第４の処理ブロックＧ２も同様に、リンスユニット４２、４３が下から順に２段に重ねられている。また、第３の処理ブロックＧ３及び第４の処理ブロックＧ４の最下段には、前記液処理ユニットに各種処理液を供給するためのケミカル室４４、４５がそれぞれ設けられている。
【００３７】
次に、上述した塗布ユニット３０〜３３の構成について説明する。塗布ユニット３０は、図５に示すように側面にテンプレートＴの搬入出口（図示せず）が形成された処理容器１００を有している。
【００３８】
処理容器１００の天井面には、処理容器１００の内部に向けて不活性ガス、例えば窒素ガスを供給するためのガス供給口１０１が形成されている。ガス供給口１０１には、ガス供給管１０２を介して窒素ガスを供給するガス供給源１０３が接続されている。なお、処理容器１００の内部は、窒素ガスと水蒸気の混合ガスを供給してもよい。また、本実施の形態では、これらガス供給口１０１、ガス供給管１０２、ガス供給源１０３でガス供給部を構成している。
【００３９】
処理容器１００の底面には、処理容器１００の内部の雰囲気を排気するための排気口１０４が形成されている。排気口１０４には、排気管１０５を介して処理容器１００の内部の雰囲気を真空引きする排気ポンプ１０６が接続されている。
【００４０】
処理容器１００内の中央部には、テンプレートＴを保持して回転させる保持部材１１０が設けられている。保持部材１１０の中央部分は下方に窪み、テンプレートＴを収容する収容部１１１が形成されている。収容部１１１の下部には、テンプレートＴの外形より小さい溝部１１１ａが形成されている。したがって、収容部１１１内では、溝部１１１ａによってテンプレートＴの下面内周部は保持部材１１０と接しておらず、テンプレートＴの下面外周部のみが保持部材１１０に支持されている。収容部１１１は、図６に示すようにテンプレートＴの外形に適合した略四角形の平面形状を有している。収容部１１１には、側面から内側に突出した突出部１１２が複数形成され、この突出部１１２により、収容部１１１に収容されるテンプレートＴの位置決めがされる。また、搬送ユニット２０の搬送アームから収容部１１１にテンプレートＴを受け渡す際に、当該搬送アームが収容部１１１と干渉するのを避けるため、収容部１１１の外周には、切欠き部１１３が４箇所に形成されている。
【００４１】
保持部材１１０は、図５に示すようにカバー体１１４に取り付けられ、保持部材１１０の下方には、シャフト１１５を介して回転駆動部１１６が設けられている。この回転駆動部１１６により、保持部材１１０は鉛直周りに所定の速度で回転でき、且つ昇降できる。
【００４２】
保持部材１１０の周囲には、テンプレートＴから飛散又は落下する離型剤を受け止め、回収するカップ１２０が設けられている。カップ１２０の下面には、回収した離型剤を排出する排出管１２１と、カップ１２０内の雰囲気を排気する排気管１２２が接続されている。
【００４３】
図７に示すようにカップ１２０のＸ方向負方向（図７の下方向）側には、Ｙ方向（図７の左右方向）に沿って延伸するレール１３０が形成されている。レール１３０は、例えばカップ１２０のＹ方向負方向（図７の左方向）側の外方からＹ方向正方向（図７の右方向）側の外方まで形成されている。レール１３０には、アーム１３１が取り付けられている。
【００４４】
アーム１３１には、テンプレートＴ上に離型剤を供給する離型剤供給部としての離型剤ノズル１３２が支持されている。アーム１３１は、ノズル駆動部１３３により、レール１３０上を移動自在である。これにより、離型剤ノズル１３２は、カップ１２０のＹ方向正方向側の外方に設置された待機部１３４からカップ１２０内のテンプレートＴの中心部上方まで移動できる。また、アーム１３１は、ノズル駆動部１３３によって昇降自在であり、離型剤ノズル１３２の高さを調整できる。なお、離型剤の材料には、後述するウェハ上のレジスト膜に対して撥液性を有する材料、例えばフッ素炭素系化合物等が用いられる。
【００４５】
処理容器１００内の天井面であって、保持部材１１０の上方には、テンプレートＴの表面Ｔ１に例えば１７２ｎｍの波長の紫外線を照射する紫外線照射部１４０が設けられている。紫外線照射部１４０は、例えば保持部材１１０に保持されたテンプレートＴの表面Ｔ１に対向し、当該表面Ｔ１全面を覆うように配置されている。
【００４６】
なお、例えば保持部材１１０の溝部１１１ａ内に、洗浄液、例えば有機溶剤を噴射する洗浄液ノズルを設けてもよい。この洗浄液ノズルからテンプレートＴの裏面Ｔ２に洗浄液を噴射することによって、当該裏面Ｔ２を洗浄することができる。
【００４７】
なお、塗布ユニット３１〜３３の構成は、上述した塗布ユニット３０の構成と同様であるので説明を省略する。
【００４８】
次に、上述したリンスユニット４０〜４３の構成について説明する。リンスユニット４０は、図８に示すように側面にテンプレートＴの搬入出口（図示せず）が形成された処理容器１５０を有している。
【００４９】
処理容器１５０内の底面には、テンプレートＴを浸漬させる浸漬槽１５１が設けられている。浸漬槽１５１内には、テンプレートＴ上の離型剤をリンスするためのリンス液、例えば有機溶剤が貯留されている。
【００５０】
処理容器１５０内の天井面であって、浸漬槽１５１の上方には、テンプレートＴを保持する保持部１５２が設けられている。保持部１５２は、テンプレートＴの裏面Ｔ２の外周部を吸着保持するチャック１５３を有している。テンプレートＴは、その表面Ｔ１が上方を向くようにチャック１５３に保持される。チャック１５３は、昇降機構１５４により昇降できる。そして、テンプレートＴは、保持部１５２に保持された状態で浸漬槽１５１に貯留された有機溶剤に浸漬され、当該テンプレートＴ上の離型剤がリンスされる。
【００５１】
保持部１５２は、チャック１５３に保持されたテンプレートＴの上方に設けられた気体供給部１５５を有している。気体供給部１５５は、例えば窒素等の不活性ガスや乾燥空気などの気体ガスを下方、すなわちチャック１５３に保持されたテンプレートＴの表面Ｔ１に吹き付けることができる。これにより、浸漬層１４１でリンスされたテンプレートＴの表面Ｔ１を乾燥させることができる。なお、リンスユニット３１には、内部の雰囲気を排気する排気管（図示せず）が接続されている。
【００５２】
なお、リンスユニット４１〜４３の構成は、上述したリンスユニット４０の構成と同様であるので説明を省略する。
【００５３】
以上のテンプレート処理装置１には、図１に示すように制御部１６０が設けられている。制御部１６０は、例えばコンピュータであり、プログラム格納部（図示せず）を有している。プログラム格納部には、テンプレート搬入出ステーション２と処理ステーション３との間のテンプレートＴの搬送や、処理ステーション３における駆動系の動作などを制御して、テンプレート処理装置１における後述するテンプレート処理を実行するプログラムが格納されている。なお、このプログラムは、例えばコンピュータ読み取り可能なハードディスク（ＨＤ）、フレキシブルディスク（ＦＤ）、コンパクトディスク（ＣＤ）、マグネットオプティカルデスク（ＭＯ）、メモリーカードなどのコンピュータに読み取り可能な記憶媒体に記録されていたものであって、その記憶媒体から制御部１６０にインストールされたものであってもよい。
【００５４】
本実施の形態にかかるテンプレート処理装置１は以上のように構成されている。次に、そのテンプレート処理装置１で行われるテンプレート処理について説明する。図９は、このテンプレート処理の主な処理フローを示し、図１０は、各工程におけるテンプレートＴの状態を示している。
【００５５】
先ず、テンプレート搬送体１２によって、カセット載置台１０上のテンプレートカセットＣＴからテンプレートＴが取り出され、処理ステーション３のトランジションユニット２１に搬送される（図９の工程Ａ１）。このとき、テンプレートカセットＣＴ内には、テンプレートＴは、転写パターンＣが形成された表面Ｔ１が上方を向くように収容されており、この状態でテンプレートＴはトランジションユニット２１に搬送される。
【００５６】
その後、搬送ユニット２０によって、テンプレートＴは、塗布ユニット３０に搬送され、保持部材１１０に受け渡される。続いて、ガス供給口１０１から窒素ガスが処理容器１００内に供給される。このとき、排気口１０４から処理容器１００の内部の雰囲気が排気されて、処理容器１００の内部は窒素ガス雰囲気に置換される。その後、図１０（ａ）に示すように紫外線照射部１４０からテンプレートＴの表面Ｔ１全面に紫外線が照射される。そして、テンプレートＴの表面Ｔ１の有機物が除去され、当該テンプレートＴの表面Ｔ１が洗浄される（図９の工程Ａ２）。
【００５７】
その後、離型剤ノズル１３２をテンプレートＴの中心部上方まで移動させると共に、テンプレートＴを回転させる。そして、図１０（ｂ）に示すように引き続き紫外線照射部１４０からテンプレートＴの表面Ｔ１に紫外線を照射しながら、離型剤ノズル１３２から回転中のテンプレートＴ上に離型剤Ｓを供給する。すなわち、紫外線の照射中に、テンプレートＴの表面Ｔ１への離型剤Ｓの供給を開始する。供給された離型剤Ｓは遠心力によりテンプレートＴ上で拡散し、当該テンプレートＴの表面Ｔ１全面に塗布される（図９の工程Ａ３）。なお、この工程Ａ３において、処理容器１００の内部は窒素ガス雰囲気に維持されている。また、離型剤Ｓの塗布後、紫外線照射部１４０からの紫外線の照射と離型剤ノズル１３２からの離型剤Ｓの供給を停止した後、引き続きテンプレートＴを回転させて、当該テンプレートＴの表面Ｔ１を振り切り乾燥させる。
【００５８】
この工程Ａ３では、紫外線が照射されることによって、図１１に示すようにテンプレートＴの表面Ｔ１上の水酸基（ＯＨ基）の結合が切断される。そして、このように水酸基の結合が切断された直後に、図１２に示すようにテンプレートＴの表面Ｔ１と離型剤分子が脱水縮合により結合される。さらに、テンプレートＴの表面Ｔ１に照射された紫外線によって、隣接する離型剤分子同士が脱水縮合により結合する。こうして、図１３に示すようにテンプレートＴの表面Ｔ１と離型剤Ｓとの化学反応が促進され、当該テンプレートＴの表面Ｔ１と離型剤Ｓとの密着性が向上する。なお、図１２において、Ｒはアルキル基であって、例えばＣＨ３である。また、図１２及び図１３において、斜線部分は離型機能を発揮する部分であって、例えばフッ化物成分である。
【００５９】
その後、搬送ユニット２０によって、テンプレートＴはリンスユニット４０に搬送され、保持部１５２に保持される。続いて、保持部１５２を下降させ、テンプレートＴを浸漬槽１５１に貯留された有機溶剤に浸漬させる。所定時間経過すると、離型剤Ｓの未反応部のみ、すなわち離型剤ＳがテンプレートＴの表面Ｔ１と化学反応して当該表面Ｔ１と密着する部分以外のみが剥離する。このとき、上述の工程Ａ３においてテンプレートＴの表面Ｔ１に離型剤Ｓが密着しているので、テンプレートＴの表面Ｔ１から所定の距離の離型剤Ｓが剥離することはない。また、テンプレートＴ上の離型剤Ｓの接触角は所定の角度、例えば１１０度になっており、離型剤Ｓは後述するレジスト膜に対して十分な撥液性を有し、その離型機能を発揮することができる。こうして、図１０（ｃ）に示すようにテンプレートＴ上に転写パターンＣに沿った離型剤Ｓが所定の膜厚で成膜される（図９の工程Ａ４）。その後、保持部１５２を上昇させ、気体供給部１５５から気体ガスをテンプレートＴに吹き付け、その表面Ｔ１を乾燥させる。
【００６０】
その後、搬送ユニット２０によって、テンプレートＴはトランジションユニット２１に搬送され、テンプレート搬送体１２によってテンプレートカセットＣＴに戻される（図９の工程Ａ５）。こうしてテンプレート処理装置１における一連のテンプレート処理が終了し、テンプレートＴの表面Ｔ１に、転写パターンＣの形状に沿った離型剤Ｓが所定の膜厚で成膜される。
【００６１】
以上の実施の形態によれば、工程Ａ３において、テンプレートＴの表面Ｔ１に紫外線を照射しながら、当該テンプレートＴの表面Ｔ１に離型剤Ｓを塗布しているので、テンプレートＴの表面Ｔ１と離型剤Ｓとの化学反応が促進され、当該テンプレートＴの表面Ｔ１と離型剤Ｓとの密着性が向上する。すなわち、テンプレートＴの表面Ｔ１に離型剤Ｓを短時間で密着させることができる。これによって、工程Ａ１〜工程Ａ５のテンプレート処理のスループットを向上させることができる。
【００６２】
また、工程Ａ３においてテンプレートＴの表面Ｔ１に離型剤Ｓが密着するので、当該テンプレートＴ上の離型剤Ｓの所定の接触角にすることができる。これによって、離型剤Ｓはレジスト膜に対して十分な撥液性を有し、その離型機能を発揮することができる。
【００６３】
さらに、工程Ａ３において紫外線によってテンプレートＴの表面Ｔ１に離型剤Ｓを密着させることができるので、従来のように離型剤Ｓを加熱する必要がなく、離型剤Ｓが熱膨張することもない。したがって、テンプレートＴの表面Ｔ１に離型剤Ｓを所定の膜厚で適切に成膜することができる。
【００６４】
また、工程Ａ３においてテンプレートＴの表面Ｔ１への紫外線の照射は窒素ガス雰囲気下で行われるため、処理容器１００内にオゾンが発生するのを防止することができる。
【００６５】
また、工程Ａ３において紫外線照射部１４０は一度の照射でテンプレートＴの表面Ｔ１全面の離型剤Ｓに紫外線を照射することができるので、テンプレートＴの表面Ｔ１と離型剤Ｓとの密着を迅速に行うことができる。
【００６６】
また、工程Ａ２においてテンプレートＴの表面Ｔ１を洗浄しているので、後続の工程Ａ３を適切に行うことができる。また、工程Ａ２では紫外線をテンプレートＴの表面Ｔ１に照射しているので、例えば液体状の有機溶剤を用いてテンプレートＴの表面Ｔ１を洗浄する場合に比べて、有機物をより適切に除去してテンプレートＴの表面Ｔ１をより適切に洗浄することができる。
【００６７】
以上の実施の形態では、工程Ａ３において紫外線を照射中にテンプレートＴの表面Ｔ１への離型剤Ｓの供給を開始していたが、テンプレートＴの表面Ｔ１に離型剤Ｓが供給された状態で、テンプレートＴの表面Ｔ１への紫外線の照射を開始してもよい。
【００６８】
かかる場合、工程Ａ３を行うため、例えば図１４に示す塗布ユニット３０が用いられる。塗布ユニット３０は、側面にテンプレートＴの搬入出口（図示せず）が形成された処理容器２００を有している。
【００６９】
処理容器２００の天井面には、処理容器２００の内部に向けて不活性ガス、例えば窒素ガスを供給するためのガス供給口２０１が形成されている。ガス供給口２０１には、ガス供給管２０２を介して窒素ガスを供給するガス供給源２０３が接続されている。なお、処理容器２００の内部は、窒素ガスと水蒸気の混合ガスを供給してもよい。また、本実施の形態では、これらガス供給口２０１、ガス供給管２０２、ガス供給源２０３でガス供給部を構成している。
【００７０】
処理容器２００の底面には、処理容器２００の内部の雰囲気を排気するための排気口２０４が形成されている。排気口２０４には、排気管２０５を介して処理容器２００の内部の雰囲気を真空引きする排気ポンプ２０６が接続されている。
【００７１】
処理容器２００内の底面には、テンプレートＴが載置される載置台２１０が設けられている。テンプレートＴは、その表面Ｔ１が上方を向くように載置台２１０の上面に載置される。載置台２１０内には、テンプレートＴを下方から支持し昇降させるための昇降ピン２１１が設けられている。昇降ピン２１１は、昇降駆動部２１２により上下動できる。載置台２１０の上面には、当該上面を厚み方向に貫通する貫通孔２１３が形成されおり、昇降ピン２１１は、貫通孔２１３を挿通するようになっている。
【００７２】
処理容器２００内の天井面であって、載置台２１０の上方には、テンプレートＴの表面Ｔ１に例えば１７２ｎｍの波長の紫外線を照射する紫外線照射部２２０が設けられている。紫外線照射部２２０は、例えば載置台２１０上に載置されたテンプレートＴの表面Ｔ１に対向し、当該表面Ｔ１全面を覆うように配置されている。
【００７３】
載置台２１０と紫外線照射部２２０との間には、支持板２２１が配置されている。支持板２２１は、例えば所定の隙間を介して載置台２１０上に載置されたテンプレートＴの表面Ｔ１と対向し、当該表面Ｔ１全面を覆うように配置されている。なお、支持板２２１は移動機構（図示せず）によって処理容器２００内を移動可能になっている。また、支持板２２１は、紫外線を透過可能な透明材料が用いられ、本実施の形態においてはテンプレートＴと同じ材料の石英ガラスが用いられる。
【００７４】
処理容器２００の内部には、載置台２１０上に載置されたテンプレートＴの表面Ｔ１と支持板２２１との間に離型剤Ｓを供給する、離型剤供給部としての離型剤ノズル２３０が配置されている。離型剤ノズル２３０は、例えばその下端部の供給口２３０ａが斜め下方に向くように配置されている。離型剤ノズル２３０は、アーム２３１に支持されている。アーム２３１には移動機構（図示せず）が取り付けられ、離型剤ノズル２３０は、処理容器２００内を可能になっている。
【００７５】
なお、塗布ユニット３１〜３３の構成は、上述した塗布ユニット３０の構成と同様であるので説明を省略する。また、テンプレート処理装置１のその他の構成は、上記実施の形態のテンプレート処理装置１の構成と同様であるので説明を省略する。
【００７６】
次に、本実施の形態のテンプレート処理装置１で行われるテンプレート処理について説明する。図１５は、テンプレート処理の各工程におけるテンプレートＴの状態を示している。なお、本実施の形態におけるテンプレート処理の処理フローは図９で示した処理フローと同様である。
【００７７】
先ず、テンプレート搬送体１２によって、カセット載置台１０上のテンプレートカセットＣＴ内のテンプレートＴがトランジションユニット２１に搬送される（図９の工程Ａ１）。
【００７８】
その後、搬送ユニット２０によって、テンプレートＴは塗布ユニット３０に搬送される。塗布ユニット３０に搬入されたテンプレートＴは、昇降ピン２１１に受け渡され、載置台２１０に載置される。続いて、ガス供給口２０１から窒素ガスが処理容器２００内に供給される。このとき、排気口２０４から処理容器２００の内部の雰囲気が排気されて、処理容器２００の内部は窒素ガス雰囲気に置換される。その後、図１５（ａ）に示すように紫外線照射部２２０からテンプレートＴの表面Ｔ１全面に紫外線が照射される。そして、テンプレートＴの表面Ｔ１の有機物が除去され、当該テンプレートＴの表面Ｔ１が洗浄される（図９の工程Ａ２）。
【００７９】
その後、紫外線照射部２２０からの紫外線の照射を一旦停止し、図１５（ｂ）に示すようにテンプレートＴの表面Ｔ１と支持板２２１が所定の隙間を介して対向するように支持板２２１を配置する。そして、離型剤ノズル２３０からテンプレートＴの表面Ｔ１と支持板２２１との間に、離型剤Ｓが供給される。供給された離型剤Ｓは、毛細管現象によってテンプレートＴの表面Ｔ１と支持板２２１との間を拡散する。続いて、図１５（ｃ）に示すようにテンプレートＴの表面Ｔ１と支持板２２１と間に離型剤Ｓが供給された状態で、紫外線照射部２２０から下方に紫外線が照射される。紫外線は、支持板２２１を通過してテンプレートＴの表面Ｔ１全面に照射される。こうして、テンプレートＴの表面Ｔ１に紫外線を照射しながら、テンプレートＴ上に離型剤Ｓが塗布される（図９の工程Ａ３）。この工程Ａ３において、処理容器２００の内部は窒素ガス雰囲気に維持されている。そして、この工程Ａ３により、テンプレートＴの表面Ｔ１と離型剤Ｓとの化学反応が促進され、当該テンプレートＴの表面Ｔ１と離型剤Ｓとの密着性が向上する。離型剤Ｓの塗布後、紫外線照射部２２０からの紫外線の照射と離型剤ノズル２３０からの離型剤Ｓの供給を停止した後、例えば窒素等の不活性ガスや乾燥空気などの気体ガスをテンプレートＴの表面Ｔ１に吹き付けて、当該表面Ｔ１を乾燥させる。なお、テンプレートＴの表面Ｔ１と離型剤Ｓとの化学反応は、上記実施の形態の工程Ａ３における化学反応と同様であるので説明を省略する。
【００８０】
その後、搬送ユニット２０によって、テンプレートＴはリンスユニット４０に搬送されてリンスされ、図１５（ｄ）に示すようにテンプレートＴ上に転写パターンＣに沿った離型剤Ｓが所定の膜厚で成膜される（図９の工程Ａ４）。なお、この工程Ａ４は、上記実施の形態の工程Ａ４と同様であるので説明を省略する。
【００８１】
その後、搬送ユニット２０によって、テンプレートＴはトランジションユニット２１に搬送され、テンプレート搬送体１２によってテンプレートカセットＣＴに戻される（図９の工程Ａ５）。こうしてテンプレート処理装置１における一連のテンプレート処理が終了し、テンプレートＴの表面Ｔ１に、転写パターンＣの形状に沿った離型剤Ｓが所定の膜厚で成膜される。
【００８２】
本実施の形態においても、上記実施の形態の効果と同様の効果を享受できる。例えば工程Ａ３において、テンプレートＴの表面Ｔ１に紫外線を照射しながら、当該テンプレートＴの表面Ｔ１に離型剤Ｓを塗布しているので、テンプレートＴの表面Ｔ１と離型剤Ｓとの化学反応が促進され、当該テンプレートＴの表面Ｔ１と離型剤Ｓとの密着性が向上する。したがって、テンプレートＴの表面Ｔ１に離型剤Ｓを短時間で密着させることができ、工程Ａ１〜工程Ａ５のテンプレート処理のスループットを向上させることができる。
【００８３】
また、本実施の形態では、工程Ａ３において、テンプレートＴの表面Ｔ１と支持板２２１と間に離型剤Ｓが供給された状態で、テンプレートＴの表面Ｔ１に紫外線が照射されるので、離型剤Ｓが拡散中に紫外線が照射されることがない。すなわち、テンプレートＴの表面Ｔ１への紫外線の照射を短時間にすることができる。これによって、テンプレートＴの離型剤Ｓが紫外線により破壊されるのを抑制することができる。
【００８４】
なお、本実施の形態の工程Ａ３では、毛細管現象を利用してテンプレートＴの表面Ｔ１と支持板２２１との間に離型剤Ｓを供給していたが、離型剤Ｓの供給方法はこれに限定されない。例えばテンプレートＴの表面Ｔ１と支持板２２１との間に離型剤Ｓを圧入してもよい。
【００８５】
また、本実施の形態の工程Ａ３では、テンプレートＴの表面Ｔ１と支持板２２１との間に離型剤Ｓを供給する際、紫外線照射部２２０からの紫外線の照射を一旦停止していたが、当該紫外線の照射を継続して行ってもよい。すなわち、工程Ａ２と工程Ａ３において、紫外線照射部２２０からの紫外線の照射を継続して行ってもよい。
【００８６】
以上の実施の形態では、工程Ａ３において、支持板２２１側からテンプレートＴの表面Ｔ１に紫外線を照射していたが、図１６に示すようにテンプレートＴの裏面Ｔ２側から表面Ｔ１に紫外線を照射してもよい。このように紫外線を照射するため、塗布ユニット３０では、テンプレートＴと支持板２２１の上下配置を反対にしてもよい、すなわちテンプレートＴを支持板２２１の上方に配置してもよい。あるいは、処理容器２００の天井面に配置された紫外線照射部２２０をテンプレートＴの下方に配置してもよい。
【００８７】
かかる場合、図１６に示すようにテンプレートＴの裏面Ｔ２側から照射された紫外線は、テンプレートＴを通過し、当該テンプレートＴの表面Ｔ１に照射される。こうしてテンプレートＴの表面Ｔ１に紫外線を照射しながら、テンプレートＴ上に離型剤Ｓが塗布される。そうすると、テンプレートＴの表面Ｔ１と離型剤Ｓとの化学反応が促進され、当該テンプレートＴの表面Ｔ１と離型剤Ｓとの密着性が向上する。
【００８８】
本実施の形態によれば、テンプレートＴの裏面Ｔ２側から表面Ｔ１に紫外線を照射しているので、紫外線は離型剤Ｓに邪魔されることなくテンプレートＴの表面Ｔ１と離型剤Ｓの界面に到達する。このため、紫外線は離型剤Ｓによって減衰することなくテンプレートＴの表面Ｔ１に照射される。また、離型剤Ｓが紫外線によって分解され難くなる。さらに、テンプレートＴの表面Ｔ１と支持板２２１と間に離型剤Ｓが供給された状態で、テンプレートＴの表面Ｔ１に紫外線が照射されるので、離型剤Ｓが拡散中に紫外線が照射されることがない。すなわち、テンプレートＴの表面Ｔ１への紫外線の照射を短時間にすることができる。これによって、テンプレートＴの離型剤Ｓが紫外線により分解されるのを抑制することができる。以上のように本実施の形態によれば、テンプレートＴの表面Ｔ１と離型剤Ｓをより効率よく密着させることができる。
【００８９】
以上の実施の形態では、工程Ａ２におけるテンプレートＴの表面Ｔ１の表洗浄は、工程Ａ３を行う塗布ユニット３０で行われていたが、別の洗浄ユニットで行われてもよい。この洗浄ユニットは、例えばテンプレート処理装置１の処理ブロックＧ１〜Ｇ４のいずれかに配置される。
【００９０】
かかる場合、図１７及び図１８に示すように洗浄ユニット２４０は、側面にテンプレートＴの搬入出口（図示せず）が形成された処理容器２５０を有している。
【００９１】
処理容器２５０内には、テンプレートＴを吸着保持するチャック２５１が設けられている。チャック２５１は、テンプレートＴの表面Ｔ１が上方を向くように、その裏面Ｔ２を吸着保持する。チャック２５１の下方には、チャック駆動部２５２が設けられている。このチャック駆動部２５２は、処理容器２５０内の底面に設けられ、Ｙ方向に沿って延伸するレール２５３上に取付けられている。このチャック駆動部２５２により、チャック２５１はレール２５３に沿って移動できる。
【００９２】
処理容器２５０内の天井面であって、レール２５３の上方には、チャック２５１に保持されたテンプレートＴに紫外線を照射する紫外線照射部２５４が設けられている。紫外線照射部２５４は、図１８に示すようにＸ方向に延伸している。
【００９３】
そして、洗浄ユニット２４０に搬送されたテンプレートＴは、チャック２５１に吸着保持される。続いて、チャック駆動部２５２によってテンプレートＴをレール２５３に沿って移動させながら、紫外線照射部２５４から当該テンプレートＴに紫外線が照射される。こうして、テンプレートＴの表面Ｔ１全面に紫外線が照射され、テンプレートＴの表面Ｔ１が洗浄される。
【００９４】
以上の実施の形態では、塗布ユニット３０において、回転中のテンプレートＴ上に離型剤Ｓを供給することにより、テンプレートＴの表面Ｔ１に離型剤Ｓを塗布していたが、例えばテンプレートＴの幅方向に延伸し、下面にスリット状の供給口が形成された離型剤ノズルを用いてテンプレートＴ上に離型剤Ｓを塗布してもよい。かかる場合、離型剤ノズルをテンプレートＴの辺方向に移動させながら、供給口から離型剤Ｓを供給し、テンプレートＴの表面Ｔ１全面に離型剤Ｓが塗布される。
【００９５】
以上の実施の形態のリンスユニット４０では、浸漬層１５１に貯留された有機溶剤にテンプレートＴを浸漬することで離型剤Ｓをリンスしていたが、図５及び図７に示した塗布ユニット３０と同様の構成を有するリンスユニットを用いてもよい。かかる場合、塗布ユニット３０の離型剤ノズル１３２に代えて、テンプレートＴ上に離型剤Ｓのリンス液としての有機溶剤を供給するリンス液ノズルが用いられる。
【００９６】
そして、このリンスユニットでは、回転中のテンプレートＴ上に有機溶剤を供給し、テンプレートＴの表面Ｔ１全面をリンスする。所定時間経過すると、離型剤Ｓの未反応部のみが剥離し、テンプレートＴ上に転写パターンＣに沿った離型剤Ｓが成膜される。その後、有機溶剤の供給を停止した後、さらにテンプレートＴを回転させ続け、その表面Ｔ１を振り切り乾燥させる。このようにして、テンプレートＴ上の離型剤Ｓがリンスされる。
【００９７】
以上の実施の形態では、処理ステーション３において、搬送ユニット２０によってテンプレートＴを搬送していたが、いわゆる平流し形式を用いてテンプレートＴをコロ搬送してもよい。かかる場合、処理ステーション３には、塗布ユニットとリンスユニットがこの順で配置される。そして、テンプレート搬入出ステーション２から搬出されたテンプレートＴは、搬送ローラを用いた搬送によってこれら処理ユニットに順次搬送される。各処理ユニットでは、搬送中のテンプレートＴに所定の処理が行われる。こうしてテンプレートＴ上に離型剤Ｓが成膜されると、テンプレートＴがテンプレート搬入出ステーション２に戻され、一連のテンプレート処理が終了する。この場合、各処理ユニットにおいてテンプレートＴの搬送中に所定の処理が行われるので、テンプレート処理のスループットをより向上させることができる。
【００９８】
以上の実施の形態のテンプレート処理装置１は、図１９に示すようにインプリントシステム３００に配置されていてもよい。インプリントシステム３００は、テンプレートＴを用いて基板としてのウェハＷ上にレジストパターンを形成するインプリントユニット３１０と、複数、例えば２５枚のウェハＷをカセット単位で外部とインプリントシステム３００との間で搬入出したり、ウェハカセットＣＷに対してウェハＷを搬入出したりするウェハ搬入出ステーション３１１とを有している。また、テンプレート処理装置１とインプリントユニット３１０との間には、テンプレートＴの受け渡しを行うインターフェイスステーション３１２が配置されている。インプリントシステム３００は、これらテンプレート処理装置１、インターフェイスステーション３１２、インプリントユニット３１０、ウェハ搬入出ステーション３１１を一体に接続した構成を有している。
【００９９】
ウェハ搬入出ステーション３１１には、カセット載置台３２０が設けられている。カセット載置台３２０は、複数のウェハカセットＣＷをＸ方向（図１９中の上下方向）に一列に載置自在になっている。すなわち、ウェハ搬入出ステーション３１１は、複数のウェハＷを保有可能に構成されている。
【０１００】
ウェハ搬入出ステーション３１１には、Ｘ方向に延伸する搬送路３２１上を移動可能なウェハ搬送体３２２が設けられている。ウェハ搬送体３２２は、鉛直方向及び鉛直周り（θ方向）にも移動自在であり、ウェハカセットＣＷとインプリントユニット３１０との間でウェハＷを搬送できる。
【０１０１】
ウェハ搬入出ステーション３１１には、ウェハＷの向きを調整するアライメントユニット３２３がさらに設けられている。アライメントユニット３２３では、例えばウェハＷのノッチ部の位置に基づいて、ウェハＷの向きが調整される。
【０１０２】
インターフェイスステーション３１２には、Ｘ方向に延伸する搬送路３３０上を移動するテンプレート搬送体３３１が設けられている。また、搬送路３３０のＸ方向正方向側には、テンプレートＴの表裏面を反転させる反転ユニット３３２が配置され、搬送路３３０のＸ方向負方向側には、複数のテンプレートＴを一時的に保管するバッファカセット３３３が配置されている。テンプレート搬送体３３１は、鉛直方向及び鉛直周り（θ方向）にも移動自在であり、処理ステーション３、反転ユニット３３２、バッファカセット３３３、インプリントユニット３１０との間でテンプレートＴを搬送できる。
【０１０３】
テンプレート処理装置１の処理ステーション３には、搬送ユニット２０のインターフェイスステーション３１２側に、テンプレートＴの受け渡しを行うためのトランジションユニット３３４が配置されている。
【０１０４】
次に、上述したインプリントユニット３１０の構成について説明する。インプリントユニット３１０は、図２０に示すように側面にテンプレートＴの搬入出口（図示せず）とウェハＷの搬入出口（図示せず）が形成された処理容器３４０を有している。
【０１０５】
処理容器３４０内の底面には、ウェハＷが載置されて保持されるウェハ保持部３４１が設けられている。ウェハＷは、その被処理面が上方を向くようにウェハ保持部３４１の上面に載置される。ウェハ保持部３４１内には、ウェハＷを下方から支持し昇降させるための昇降ピン３４２が設けられている。昇降ピン３４２は、昇降駆動部３４３により上下動できる。ウェハ保持部３４１の上面には、当該上面を厚み方向に貫通する貫通孔３４４が形成されおり、昇降ピン３４２は、貫通孔３４４を挿通するようになっている。また、ウェハ保持部３４１は、当該ウェハ保持部３４１の下方に設けられた移動機構３４５により、水平方向に移動可能で、且つ鉛直周りに回転自在である。
【０１０６】
図２１に示すようにウェハ保持部３４１のＸ方向負方向（図２１の下方向）側には、Ｙ方向（図２１の左右方向）に沿って延伸するレール３５０が設けられている。レール３５０は、例えばウェハ保持部３４１のＹ方向負方向（図２１の左方向）側の外方からＹ方向正方向（図２１の右方向）側の外方まで形成されている。レール３５０には、アーム３５１が取り付けられている。
【０１０７】
アーム３５１には、ウェハＷ上にレジスト液を供給するレジスト液ノズル３５２が支持されている。レジスト液ノズル３５２は、例えばウェハＷの直径寸法と同じかそれよりも長い、Ｘ方向に沿った細長形状を有している。レジスト液ノズル３５２には、例えばインクジェット方式のノズルが用いられ、レジスト液ノズル３５２の下部には、長手方向に沿って一列に形成された複数の供給口（図示せず）が形成されている。そして、レジスト液ノズル３５２は、レジスト液の供給タイミング、レジスト液の供給量等を厳密に制御できる。
【０１０８】
アーム３５１は、ノズル駆動部３５３により、レール３５０上を移動自在である。これにより、レジスト液ノズル３５２は、ウェハ保持部３４１のＹ方向正方向側の外方に設置された待機部３５４からウェハ保持部３４１上のウェハＷの上方まで移動でき、さらに当該ウェハＷの表面上をウェハＷの径方向に移動できる。また、アーム３５１は、ノズル駆動部３５３によって昇降自在であり、レジスト液ノズル３５２の高さを調整できる。
【０１０９】
処理容器３４０内の天井面であって、ウェハ保持部３４１の上方には、図２０に示すようにテンプレートＴを保持するテンプレート保持部３６０が設けられている。すなわち、ウェハ保持部３４１とテンプレート保持部３６０は、ウェハ保持部３４１に載置されたウェハＷと、テンプレート保持部３６０に保持されたテンプレートＴが対向するように配置されている。また、テンプレート保持部３６０は、テンプレートＴの裏面Ｔ２の外周部を吸着保持するチャック３６１を有している。チャック３６１は、当該チャック３６１の上方に設けられた移動機構３６２により、鉛直方向に移動自在で、且つ鉛直周りに回転自在になっている。これにより、テンプレートＴは、ウェハ保持部３４１上のウェハＷに対して所定の向きに回転し昇降できる。
【０１１０】
テンプレート保持部３６０は、チャック３６１に保持されたテンプレートＴの上方に設けられた光源３６３を有している。光源３６３からは、例えば可視光、近紫外光、紫外線などの光が発せられ、この光源３６３からの光は、テンプレートＴを透過して下方に照射される。
【０１１１】
本実施の形態にかかるインプリントシステム３００は以上のように構成されている。次に、そのインプリントシステム３００で行われるインプリント処理について説明する。図２２は、このインプリント処理の主な処理フローを示し、図２３は、このインプリント処理の各工程におけるテンプレートＴとウェハＷの状態を示している。
【０１１２】
先ず、テンプレート搬送体１２によって、テンプレート搬入出ステーション２から処理ステーション３にテンプレートＴが搬送される（図２２の工程Ｂ１）。処理ステーション３では、テンプレートＴの表面Ｔ１の洗浄（図２２の工程Ｂ２）、表面Ｔ１への紫外線の照射及び表面Ｔ１への離型剤Ｓの塗布（図２２の工程Ｂ３）、離型剤Ｓのリンス（図２２の工程Ｂ４）が順次行われ、テンプレートＴの表面Ｔ１に離型剤Ｓが成膜される。なお、これら工程Ｂ２〜Ｂ４は、前記実施の形態における工程Ａ２〜Ａ４と同様であるので、詳細な説明を省略する。
【０１１３】
離型剤Ｓが成膜されたテンプレートＴは、トランジションユニット３３４に搬送される。続いて、テンプレートＴは、インターフェイスステーション３１２のテンプレート搬送体３３１によって、反転ユニット３３２に搬送されて、テンプレートＴの表裏面が反転される。すなわち、テンプレートＴの裏面Ｔ２が上方に向けられる。その後、テンプレートＴは、テンプレート搬送体３３１によってインプリントユニット３１０に搬送され、テンプレート保持部３６０のチャック３６１に吸着保持される。
【０１１４】
このように処理ステーション３においてテンプレートＴに離型剤処理を行い、インプリントユニット３１０へテンプレートＴを搬送中に、ウェハ搬入出ステーション３１１では、ウェハ搬送体３２２により、カセット載置台３２０上のウェハカセットＣＷからウェハＷが取り出され、アライメントユニット３２３に搬送される。そして、アライメントユニット３２３において、ウェハＷのノッチ部の位置に基づいて、ウェハＷの向きが調整される。その後、ウェハＷは、ウェハ搬送体３２２によってインプリントユニット３１０に搬送される（図２２の工程Ｂ５）。なお、ウェハ搬入出ステーション３１１において、ウェハカセットＣＷ内のウェハＷは、その被処理面が上方を向くように収容されており、この状態でウェハＷはインプリントユニット３１０に搬送される。
【０１１５】
インプリントユニット３１０に搬入されたウェハＷは、昇降ピン３４２に受け渡され、ウェハ保持部３４１上に載置され保持される。続いて、ウェハ保持部３４１に保持されたウェハＷを水平方向の所定の位置に移動させて位置合わせをした後、レジスト液ノズル３５２をウェハＷの径方向に移動させ、図２３（ａ）に示すようにウェハＷ上にレジスト液が塗布され、塗布膜としてのレジスト膜Ｒが形成される（図２２の工程Ｂ６）。このとき、制御部１６０により、レジスト液ノズル３５２から供給されるレジスト液の供給タイミングや供給量等が制御される。すなわち、ウェハＷ上に形成されるレジストパターンにおいて、凸部に対応する部分（テンプレートＴの転写パターンＣにおける凹部に対応する部分）に塗布されるレジスト液の量は多く、凹部に対応する部分（転写パターンＣにおける凸部に対応する部分）に塗布されるレジスト液の量は少なくなるように塗布される。このように転写パターンＣの開口率に応じてウェハＷ上にレジスト液が塗布される。
【０１１６】
ウェハＷ上にレジスト膜Ｒが形成されると、ウェハ保持部３４１に保持されたウェハＷを水平方向の所定の位置に移動させて位置合わせを行うと共に、テンプレート保持部３６０に保持されたテンプレートＴを所定の向きに回転させる。そして、図２３（ａ）の矢印に示すようにテンプレートＴをウェハＷ側に下降させる。テンプレートＴは所定の位置まで下降し、テンプレートＴの表面Ｔ１がウェハＷ上のレジスト膜Ｒに押し付けられる。なお、この所定の位置は、ウェハＷ上に形成されるレジストパターンの高さに基づいて設定される。続いて、光源３６３から光が照射される。光源３６３からの光は、図２３（ｂ）に示すようにテンプレートＴを透過してウェハＷ上のレジスト膜Ｒに照射され、これによりレジスト膜Ｒは光重合する。このようにして、ウェハＷ上のレジスト膜ＲにテンプレートＴの転写パターンＣが転写され、レジストパターンＰが形成される（図２２の工程Ｂ７）。
【０１１７】
その後、図２３（ｃ）に示すようにテンプレートＴを上昇させて、ウェハＷ上にレジストパターンＰを形成する。このとき、テンプレートＴの表面Ｔ１には離型剤Ｓが塗布されているので、ウェハＷ上のレジストがテンプレートＴの表面Ｔ１に付着することはない。その後、ウェハＷは、昇降ピン３４２によりウェハ搬送体３２２に受け渡され、インプリントユニット３１０からウェハ搬入出ステーション３１１に搬送され、ウェハカセットＣＷに戻される（図２２の工程Ｂ８）。なお、ウェハＷ上に形成されたレジストパターンＰの凹部には、薄いレジストの残存膜Ｌが残る場合があるが、例えばインプリントシステム３００の外部において、図２３（ｄ）に示すように当該残存膜Ｌを除去してもよい。
【０１１８】
以上の工程Ｂ５〜Ｂ８（図２２中の点線で囲った部分）を繰り返し行い、一のテンプレートＴを用いて、複数のウェハＷ上にレジストパターンＰをそれぞれ形成する。この間、上述した工程Ｂ１〜Ｂ４を繰り返し行い、複数のテンプレートＴの表面Ｔ１上に離型剤Ｓを成膜する。離型剤Ｓが成膜されたテンプレートＴは、インターフェイスステーション３１２のバッファカセット３３３に保管される。
【０１１９】
そして、所定枚数のウェハＷに対して工程Ｂ５〜Ｂ８が行われると、ウェハ搬送体３３１によって、使用済みのテンプレートＴがインプリントユニット３１０から搬出され、反転ユニット３３２に搬送される（図２２の工程Ｂ９）。続いて、ウェハ搬送体３３１によって、バッファカセット３３３内のテンプレートＴがインプリントユニット３１０に搬送される。こうして、インプリントユニット３１０内のテンプレートＴが交換される。なお、テンプレートＴを交換するタイミングは、テンプレートＴの劣化等を考慮して設定される。また、ウェハＷに異なるパターンＰを形成する場合にも、テンプレートＴが交換される。そして、例えばテンプレートＴを１回使用する度に当該テンプレートＴを交換してもよい。また、例えば１枚のウェハＷ毎にテンプレートＴを交換してもよいし、例えば１ロット毎にテンプレートＴを交換してもよい。
【０１２０】
反転ユニット３３２に搬送された使用済みのテンプレートＴは、その表裏面が反転される。その後、ウェハ搬送体３３１、搬送ユニット２０、ウェハ搬送体１２によって、テンプレートＴはテンプレートカセットＣＴに戻される。このようにして、インプリントシステム３００において、テンプレートＴを連続的に交換しつつ、複数のウェハＷに対して所定のレジストパターンＰが連続的に形成される。
【０１２１】
以上の実施の形態のインプリントシステム３００はテンプレート処理装置１を有しているので、インプリントシステム３００において、テンプレートＴ上に離型剤Ｓを成膜しつつ、当該テンプレートＴをインプリントユニット３１０に連続的に供給できる。これによって、例えばテンプレートＴが劣化する前、あるいは複数のウェハＷ上に異なるレジストパターンＰを形成する場合でも、インプリントユニット３１０内のテンプレートＴを連続して効率よく交換することができる。したがって、複数のウェハＷに対して所定のレジストパターンＰを連続的に形成することができる。また、これによって、半導体デバイスの量産化を実現することも可能となる。
【０１２２】
以上、添付図面を参照しながら本発明の好適な実施の形態について説明したが、本発明はかかる例に限定されない。当業者であれば、特許請求の範囲に記載された思想の範疇内において、各種の変更例または修正例に想到し得ることは明らかであり、それらについても当然に本発明の技術的範囲に属するものと了解される。本発明はこの例に限らず種々の態様を採りうるものである。本発明は、基板がウェハ以外のＦＰＤ（フラットパネルディスプレイ）、フォトマスク用のマスクレチクルなどの他の基板である場合にも適用できる。
【符号の説明】
【０１２３】
１    テンプレート処理装置
３０〜３３  塗布ユニット
４０〜４３  リンスユニット
１００  処理容器
１０１  ガス供給口
１０２  ガス供給管
１０３  ガス供給源
１３２  離型剤ノズル
１４０  紫外線照射部
１６０  制御部
２００  処理容器
２０１  ガス供給口
２０２  ガス供給管
２０３  ガス供給源
２２０  紫外線照射部
２２１  支持板
２３０  離型剤ノズル
２４０  洗浄ユニット
３００  インプリントシステム
３１０  インプリントユニット
Ｃ    転写パターン
Ｐ    レジストパターン
Ｒ    レジスト膜
Ｓ    離型剤
Ｔ    テンプレート
Ｗ    ウェハ
【図１】
0005487064.tif 000002
【図２】
0005487064.tif 000003
【図３】
0005487064.tif 000004
【図４】
0005487064.tif 000005
【図５】
0005487064.tif 000006
【図６】
0005487064.tif 000007
【図７】
0005487064.tif 000008
【図８】
0005487064.tif 000009
【図９】
0005487064.tif 000010
【図１０】
0005487064.tif 000011
【図１１】
0005487064.tif 000012
【図１２】
0005487064.tif 000013
【図１３】
0005487064.tif 000014
【図１４】
0005487064.tif 000015
【図１５】
0005487064.tif 000016
【図１６】
0005487064.tif 000017
【図１７】
0005487064.tif 000018
【図１８】
0005487064.tif 000019
【図１９】
0005487064.tif 000020
【図２０】
0005487064.tif 000021
【図２１】
0005487064.tif 000022
【図２２】
0005487064.tif 000023
【図２３】
0005487064.tif 000024